(57)【要約】 【課題】  持ち運びやすさと首や肩に掛けて使用する際の安定性に優れた、可動式のハンドルと、首又は肩掛用のストラップを備えたタブレット型コンピュータを提供する【解決手段】  タブレット型コンピュータ本体には、持ち運びの際の握り手になるとともに、折り畳んでスタンドとして使用することも可能なハンドルが備えられ、さらに、持ち運びの際に首や肩に掛けることが可能なストラップ３０が備えられている。ストラップ３０には、留め具３１、３２が設けられ、これをタブレット型コンピュータ本体の角にある固定部１６、１７に固定すると、ストラップ３０が対角線上に固定され、この状態で首や肩に掛けると、タブレット型コンピュータを画板状にして使用することが可能になる。【選択図】        図６
0003180036.tif 000002
【実用新案登録請求の範囲】
【請求項１】
長方形状のタブレット型コンピュータ本体の短辺となる一側面に平行する把手部を有するハンドルを備え、
前記ハンドルは、タブレット型コンピュータ本体との締結部を軸に回転可能であること
を特徴とするタブレット型コンピュータ。
【請求項２】
前記ハンドルの把手部の長さはタブレット型コンピュータ本体の短辺の長さより短く、
前記ハンドルは、前記把手部の両端がタブレット型コンピュータ本体の短辺となる側面の両端より内側の位置となるようタブレット型コンピュータ本体に締結されること
を特徴とする請求項１記載のタブレット型コンピュータ。
【請求項３】
両端が前記ハンドルに固定された首又は肩掛用のストラップが備えられ、
前記ストラップには、タブレット型コンピュータ本体のハンドルが締結される側の短辺となる側面と逆側の側面の角にある固定部に固定するための少なくとも一つの留め具が設けられること
を特徴とする請求項１又は２記載のタブレット型コンピュータ。
【請求項４】
両端がタブレット型コンピュータ本体のハンドルが締結される側の短辺となる側面の両角に固定された首又は肩掛用のストラップが取り付け備えられ、
前記ストラップには、タブレット型コンピュータ本体のハンドルが締結される側の短辺となる側面と逆側の側面の角にある固定部に固定するための少なくとも一つの留め具が設けられること
を特徴とする請求項１又は２記載のタブレット型コンピュータ。
【請求項５】
タブレット型コンピュータ本体のハンドルが締結される側の短辺となる側面と逆側の側面の両角には、前記留め具を固定するための固定部が設けられ、
前記留め具は、前記ストラップ上をスライドさせることが可能であること
を特徴とする請求項３又は４記載のタブレット型コンピュータ。
【請求項６】
タブレット型コンピュータ本体のハンドルが締結される側の短辺となる側面と逆側の側面の両角には、前記留め具を固定するための固定部が設けられ、
前記ストラップ上には、前記両角にある固定部にそれぞれ固定するための二の留め具が設けられること
を特徴とする請求項３又は４記載のタブレット型コンピュータ。
【考案の詳細な説明】
【技術分野】
【０００１】
本考案は、折り畳むとスタンドとして使用可能な可動式のハンドルと、首又は肩掛用のストラップを備えたタブレット型コンピュータに関するものである。
【背景技術】
【０００２】
通信機能を備え、携帯性に優れたパーソナルコンピュータとして、タブレット型コンピュータの利用が進んでいる。近年急速に普及しているタブレット型コンピュータは、長方形状の薄型で、本体正面にはタッチパネル式のディスプレイを備え、指や専用のペンなどを用いて情報を入力するものが一般的である。
【０００３】
タブレット型に限らず、携帯型のコンピュータは、持ち運びに便利な構造であることが重要である。また、固定型のパーソナルコンピュータと異なり、様々な環境下で使用されるが、使用時にはディスプレイが見やすい構造であることが好ましい。こうした課題に対応し得るものとして、コンピュータの使用時にはスタンドとしても利用できる、携帯型コンピュータのハンドルに関する発明が開示されている（特許文献１参照）。
【０００４】
使用時の見やすさ等の利便性という点では、携帯型のコンピュータは屋外に持ち出して使用することも多く、必ず机上での使用できるとは限らない。特に、ユーザが立ったままの状態だとコンピュータを使用しにくいのが通常であるが、画板状に固定できるベルトを備えることによって、立った姿勢でもキーボード操作が行いやすい携帯型情報機器に関する発明が開示されている（特許文献２参照）。
【０００５】
【特許文献１】特開２０１０−１４７２２６号公報
【特許文献２】特開２００４−３４８４４０号公報
【考案の開示】
【考案が解決しようとする課題】
【０００６】
特許文献１記載のハンドルは、携帯端末が持ち運びやすくなるとともに、スタンドとして利用することもできる利便性に優れたものであるが、想定されている携帯端末の形状が近年普及しているタブレット型コンピュータとは異なるものであり、ハンドルを握ると、横長の携帯端末がそのまま持ち上げられる構造、すなわち、長方形状の携帯端末の長辺となる側に持ち手が平行になるようにハンドルが取り付けられた構造となっている（特許文献１の図１参照）。そのため、携帯端末本体に対してハンドルのサイズ、特に横幅が大きくなってしまうため、体に沿わせた状態にして安全に持ち運ぶことが難しいと考えられる。
【０００７】
また、携帯端末には形状が固定されたハンドルが付いているだけなので、持ち運び時には手に持つしかなく、肩や首から掛けるといった持ち方をすることができない。使用時にも、机上に置く場合はハンドルをスタンド状にすることで使いやすくなるものの、例えば、立ったままの状態で使用するケースの利便性などは考慮されていない。
【０００８】
一方、特許文献２記載の携帯型情報機器は、立ったままの状態で使用する際の利便性を考慮したものであるが、これも長方形状の装置本体の長辺となる側の両角にベルトが固定された構造となっているため、肩から掛けると装置本体は横幅が広い状態で持ち上げられ、装置本体の両側面が体の幅からはみだして、持ち運びにくいものと考えられる。また、ベルトを首や肩にかけて使用する際には、ベルトは一方の側面にのみ固定されているので、首や肩に引っ掛けた際のバランスが悪く安定性に欠け、ベルト以外の器具を用いて腹部で固定しないと、ずり落ちてしまいやすくなる。
【０００９】
本考案は、このような課題を解決するためになされたものであり、持ち運びやすさと首や肩に掛けて使用する際の安定性に優れた、可動式のハンドルと、首又は肩掛用のストラップを備えたタブレット型コンピュータを提供することを目的とするものである。
【課題を解決するための手段】
【００１０】
このような課題を解決する本考案は、長方形状のタブレット型コンピュータ本体の短辺となる一側面に平行する把手部を有するハンドルを備え、前記ハンドルは、タブレット型コンピュータ本体との締結部を軸に回転可能であることを特徴とするタブレット型コンピュータである。
【００１１】
本考案を、近年普及している長方形状で薄型のタブレット型コンピュータに適用すると、机上に置いて使用する際にハンドルを折り畳めばスタンドとして利用できることに加えて、ハンドルの把手がタブレット型コンピュータ本体の短辺側の一側面に平行するため、ハンドルを手に持った際には全体が縦長の形状となり、体に沿わせた状態で安全に持ち運びやすいという効果も生じる。
【００１２】
また、本考案の好ましい形態では、前記ハンドルの把手部の長さはタブレット型コンピュータ本体の短辺の長さより短く、前記ハンドルは、前記把手部の両端がタブレット型コンピュータ本体の短辺となる側面の両端より内側の位置となるようタブレット型コンピュータ本体に締結されることを特徴とする。
【００１３】
このように構成すると、ハンドルを折り畳んで使用する際に、把手が机上に平行になるように置くとディスプレイが縦長の状態で使用できる他、把手の端の部分が支えとなるようにして衝立状にタブレット型コンピュータ本体を机上に立てれば、ディスプレイを横長の状態にして使用することもできるので、縦、横、いずれの状態でもハンドルをスタンドにして使用することが可能になる。
【００１４】
さらに、本考案の好ましい形態では、両端が前記ハンドルに固定された首又は肩掛用のストラップが備えられ、前記ストラップには、タブレット型コンピュータ本体のハンドルが締結される側の短辺となる側面と逆側の側面の角にある固定部に固定するための少なくとも一つの留め具が設けられることを特徴とする。あるいは、両端がタブレット型コンピュータ本体のハンドルが締結される側の側面の両角に固定された首又は肩掛用のストラップが取り付け備えられ、前記ストラップには、タブレット型コンピュータ本体のハンドルが締結される側の短辺となる側面と逆側の側面の角にある固定部に固定するための少なくとも一つの留め具が設けられることを特徴としてもよい。
【００１５】
このように、ハンドルの他に、首又は肩掛用のストラップを備えるよう構成すると、ハンドルを手に持って持ち運ぶだけでなく、首や肩に掛けても持ち運べることに加えて、ハンドルやストラップと逆側の角にある固定部にストラップ上にある留め具を引っ掛けて固定することによって、ストラップがタブレット型コンピュータ本体の対角の位置に固定され、ストラップを首や肩から画板状に掛けて使用することが可能になる。
【００１６】
さらに、本考案の好ましい形態では、タブレット型コンピュータ本体のハンドルが締結される側の短辺となる側面と逆側の側面の両角には、前記留め具を固定するための固定部が設けられ、前記留め具は、前記ストラップ上をスライドさせることが可能であることを特徴とする。
【００１７】
このように構成すると、ストラップをスライドさせて、タブレット型コンピュータ本体のハンドルが締結される側の側面と逆側の側面の両角にあるいずれの固定部にも固定することができるので、ストラップを首や肩から画板状に掛けて使用する際に、右利き、左利き、いずれのユーザにも使いやすい状態に、ストラップの位置を固定することができる。
【００１８】
さらに、本考案の好ましい形態では、タブレット型コンピュータ本体のハンドルが締結される側の短辺となる側面と逆側の側面の両角には、前記留め具を固定するための固定部が設けられ、前記ストラップ上には、前記両角にある固定部にそれぞれ固定するための二の留め具が設けられることを特徴とする。
【００１９】
このように構成すると、留め具をストラップ上でスライドさせる構造にしなくても、タブレット型コンピュータ本体のハンドルが締結される側の側面と逆側の側面の両角にあるいずれの固定部にも固定することができるので、ストラップを首や肩から画板状に掛けて使用する際に、右利き、左利き、いずれのユーザにも使いやすい状態に、ストラップの位置を固定することができる。
【考案の効果】
【００２０】
本考案によると、近年普及している長方形状で薄型のタブレット型コンピュータが、体に沿わせた状態で安全に持ち運びやすくなるとともに、ハンドルをスタンドにして、縦、横、いずれの方向にも傾斜させて使用することが可能になる。また、ストラップを用いて首や肩から掛けても持ち運べることに加えて、ストラップ上にある留め具をタブレット型コンピュータ本体の対角となる角に固定させることで、ストラップを首や肩から画板状に掛けて使用することも可能になる。本考案は、このように、タブレット型コンピュータの持ち運びやすさや使用形態の多様性に資するものである。
【図面の簡単な説明】
【００２１】
【図１】本考案の第１の実施形態に対応するタブレット型コンピュータの一例を示す図（正面図）である。
【図２】本考案の第２の実施形態に対応するタブレット型コンピュータの一例を示す図（正面図）である。
【図３】本考案の第１の実施形態に対応するタブレット型コンピュータのハンドルを折り畳んで使用する状態の一例を示す図である。
【図４】本考案の第２の実施形態に対応するタブレット型コンピュータのハンドルを折り畳んで使用する状態の一例を示す図である。
【図５】本考案にかかるタブレット型コンピュータのストラップも含めた全体像の一例を示す図である。
【図６】本考案にかかるタブレット型コンピュータにおいて、ストラップの留め具をコンピュータ本体に固定した状態の一例を示す図である。
【図７】本考案にかかるタブレット型コンピュータにおいて、ストラップの留め具をコンピュータ本体に固定して使用する状態の一例を示す図である。
【考案を実施するための形態】
【００２２】
本考案の実施の形態について、図１〜図７を用いて以下に詳細に説明する。尚、以下に説明する実施形態は、本考案にかかるタブレット型コンピュータの一例を示したものであって、コンピュータ本体やハンドル、ストラップ等の形状、留め具を固定する構造等は、図１〜図７に示した例に限定されるものではない。
【００２３】
図１は、本発明の第１の実施形態を示したものである。本発明にかかるタブレット型コンピュータは、長方形状で薄型のコンピュータ本体１０に、コンピュータ本体１０との締結部２４、２５を軸に回転可能なハンドル２０、首や肩に掛けて使用するためのストラップ３０を備えることを特徴としている。尚、コンピュータ本体１０の形状は、概ね長方形であればよく、全ての角が直角となる厳密な長方形であることを要件とするものではない。図１のように、一部の角に突起がある構造であってもよい。
【００２４】
コンピュータ本体１０の正面側は、タッチパネル型ディスプレイ１１となっていて、タブレット型コンピュータのユーザは、指や専用のペンでタッチパネルをタッチして入力操作を行うとともに、操作の結果はタッチパネル型ディスプレイ１１に出力される。背面側の構造については、特に限定されるものではない。
【００２５】
長方形状のコンピュータ本体１０は、側面１２、１３が短辺、側面１４、１５が長辺に該当するが、ユーザが持ち運ぶ際の持ち手となる把手部２１を備えたハンドル２０が、コンピュータ本体１０の短辺となる側面１２に平行する位置に設けられている。ハンドル２０には、コンピュータ本体１０に接合するための接合部２２、２３が設けられ、接合部２２、２３は、締結部２４、２５を軸に回転可能な状態で、コンピュータ本体１０と締結部２４、２５で締結されている。
【００２６】
ハンドル２０は、図１のように、折り畳まず真っ直ぐにした状態（把手部２１が側面１４、１５の直線状にある状態）で持ち運んだり、収納したりすることとすればよいが、机上で使用する際には、図３のようにハンドル２０を折り畳んで（ハンドル２０の折り畳み可能な角度は特に限定されるものではない）、スタンドとして使用することもできる。このような状態で、ユーザがいる方向にコンピュータ本体１０を少し傾斜させて机上に置くと、タッチパネル型ディスプレイ１１が見やすくなるという効果が生じる。
【００２７】
尚、第１の実施形態では、ハンドル２０の把手部２１の長さを側面１２、１３とほぼ同じ長さとし、把手部２１の両端が側面１４、１５の延長線上付近にある構造となっているが、このような構造にすると、コンピュータ本体１０とハンドル２０が一体性のあるデザインになるとともに、持ち運びや収納の際にも長方形状のコンピュータとして扱いやすい。また、図３の例では、接合部２２、２３が緩やかにカーブした形状となっているが、この形状は特に限定されるものではない。
【００２８】
図２に示した第２の実施形態も、コンピュータ本体１０とハンドル２０には、第１の実施形態で説明した各部が設けられるが、ハンドル２０の把手部２１の長さが側面１２、１３より短く、把手部２１の両端が側面１４、１５の延長線上よりも内側の位置となる構造になる点が、第１の実施形態と相違している。この場合、側面１２にある突起状の部分の内側に締結部２４、２５が備えられ、接合部２２、２３と締結されることになる。
【００２９】
第２の実施形態のように構成すると、ハンドル２０を折り畳んでスタンドとして使用する場合、図３と同様に、タッチパネル型ディスプレイ１１を縦長の状態で傾斜させて机上に置くことができるが、ハンドル２０を折り畳んだタッチパネル型ディスプレイ１１を、長辺となる側面１５（側面１４でもよい）が接した状態で机上に置くと、図４に示したように、ハンドル２０の把手部２１の長さが側面１２より短い分だけ傾斜が生じ、図３のようにタッチパネル型ディスプレイ１１が縦長となる状態だけでなく、横長にしても見やすい状態で使用することが可能になる。
【００３０】
図１の第１の実施形態に戻ると、本発明にかかるタブレット型コンピュータには、ハンドル２０の把手部２１に両端が固定された、首や肩に掛けて使用するためのストラップ３０が備えられる。ストラップ３０の両端が固定される位置は特に限定されるものではないが、肩に掛けて持ち運ぶ際の状態を考慮すると、コンピュータ本体１０の締結部２４、２５付近に固定するとストラップ３０が接合部２２、２３と絡みやすくなってしまうため、図１のように、ハンドル２０の把手部２１上に、特に把手部２１の両端近くに固定することが好ましい。
【００３１】
一方、図２の第２の実施形態では、ストラップ３０をコンピュータ本体１０に直接固定しても、接合部２２、２３は突起の内側にあるためストラップ３０とは絡みにくく、図１と同様にハンドル２０の把手部２１の両端近くに固定してもよいが、図２のようにコンピュータ本体１０に直接固定することとしてもよい。
【００３２】
そして、図１、図２に示したように、コンピュータ本体１０のハンドル２０が締結される側の短辺となる側面１２と逆側の側面１３の両角には、固定部１６、１７が設けられ、さらに、図５に示したように、ストラップ３０には、この固定部１６、１７に引っ掛けて固定することが可能な、留め具３１、３２が設けられる。
【００３３】
これらの一方、例えば、留め具３１を固定部１６に引っ掛けて固定すると、図６に示したように、ストラップ３０は、コンピュータ本体１０とハンドル２０全体を長方形としてみた場合の対角線上に固定されることとなり、図７に示したように、ストラップ３０を首や肩に掛けると、コンピュータ本体１０を画板状にして使用することが可能になる。図６とは逆に、留め具３２を固定部１７に引っ掛けた場合には、対角線が逆になるので、ストラップ３０を首や肩に掛けた際にストラップ３０が引っ掛かってしまう腕が上記の場合と逆になるので、右利き、左利きの双方に対応できることになる。
【００３４】
尚、留め具３１、３２と固定部１６、１７は、留め具３１、３２を固定部１６、１７に固定したり取り外したりできるものであればよく、これらの形状や構造は特に限定されるものではない。また、留め具３１、３２がストラップ３０上に固定される位置は、ストラップ３０の端から留め具３１、３２までの長さが、ストラップ３０の端が固定されるハンドル２０の把手部２１の端付近から固定部１６、１７の長さより長くなることが必要であるが、それ以外は特に限定されるものではない。
【００３５】
また、図５〜図７のように、ストラップ３０上に留め具を２つ備えるものではなく、留め具は１つにして、それぞれ固定部１６、１７に引っ掛けて画板状に使用することが可能な位置まで、ストラップ３０上を留め具がスライドできるように構成してもよい。右利き、左利きのいずれか一方に使いやすいものにはなってしまうが、固定部１６、１７についても、いずれか一方のみを備える構成として実施することも可能である。
【符号の説明】
【００３６】
１０  コンピュータ本体
１１  タッチパネル式ディスプレイ
１２  側面（短辺側）
１３  側面（短辺側）
１４  側面（長辺側）
１５  側面（長辺側）
１６  固定部
１７  固定部
２０  ハンドル
２１  把手部
２２  接合部
２３  接合部
２４  締結部
２５  締結部
３０  ストラップ
３１  留め具
３２  留め具
【図１】
0003180036.tif 000003
【図２】
0003180036.tif 000004
【図３】
0003180036.tif 000005
【図４】
0003180036.tif 000006
【図５】
0003180036.tif 000007
【図６】
0003180036.tif 000008
【図７】
0003180036.tif 000009